(57)【要約】【課題】業務用ビル等の施設内におけるエネルギー消費に関するエネルギー消費情報を表示するエネルギー監視装置において、用途別、フロア別等に分別した所定の計量区分でのエネルギー消費情報を表示する場合に、選択可能な計量区分の把握と選択とを容易にするエネルギー監視装置を提供する。【解決手段】エネルギー監視装置のモニタに表示されるエネルギー管理画面において、計量区分を選択するための計量区分選択領域５０を設け、その計量区分選択領域５０において、計量区分を選択する選択可能な計量区分は、施設全体、エネルギー源の種類別、エネルギー消費の用途別、エネルギー消費のフロア別に順次階層化されてツリー表示される。エネルギー消費情報表示領域５４には、計量区分選択領域５０において選択された計量区分のエネルギー消費量がグラフ表示される。【選択図】  図３
2007199783.tif 000002
【特許請求の範囲】
【請求項１】
施設内でのエネルギー消費に関するエネルギー消費情報を表示手段に表示するエネルギー監視装置において、
所定の計量区分でのエネルギー消費に関する前記エネルギー消費情報を表示する際に、該計量区分を選択するための選択画面であって、上位の階層の計量区分を下位の階層において所定の要素で分別することによって選択可能な計量区分を階層化し、該階層化した各計量区分を選択可能に階層表示した選択画面を前記表示手段に表示させる選択画面表示手段と、
前記選択画面表示手段により表示された選択画面において所望の計量区分を選択する選択手段と、
前記選択手段により選択された計量区分のエネルギー消費に関するエネルギー消費情報を前記表示手段に表示させるエネルギー消費情報表示手段と、
を備えたことを特徴とするエネルギー監視装置。
【請求項２】
施設内でのエネルギー消費に関するエネルギー消費情報を表示手段に表示するエネルギー監視装置において、
所定の計量区分でのエネルギー消費に関する前記エネルギー消費情報を表示する際に、該計量区分を選択するための選択画面であって、前記施設の構成を模した模式図において所定の要素で分別した計量区分を選択可能に図形表示した選択画面を前記表示手段に表示させる選択画面表示手段と、
前記選択画面表示手段により表示された選択画面において所望の計量区分を選択する選択手段と、
前記選択手段により選択された計量区分のエネルギー消費に関するエネルギー消費情報を前記表示手段に表示させるエネルギー消費情報表示手段と、
を備えたことを特徴とするエネルギー監視装置。
【請求項３】
前記計量区分を分別する所定の要素は、エネルギー源の種類、消費したエネルギーの用途、エネルギーを消費する場所のうち少なくとも１つを含むことを特徴とする請求項１、又は、２のエネルギー監視装置。
【発明の詳細な説明】
【技術分野】
【０００１】
本発明はエネルギー監視装置に係り、特に業務用ビル等の施設におけるエネルギー消費を監視するエネルギー監視装置に関する。
【背景技術】
【０００２】
近年、業務用ビル等においてビルエネルギーマネジメントシステム（ＢＥＭＳ：Building and Energy Management System）が導入されるようになっている。ＢＥＭＳは、施設内における空調設備、照明設備、防災設備、防犯設備などの建築設備を対象とし、各種センサ、メータにより室内環境や設備の状況を監視し、運転管理や制御を行うものとして知られており、室内環境やエネルギー性能の最適化を図るためのビル管理システムである。近年では地球環境への配慮から省エネルギーの重要性と共にＢＥＭＳによるエネルギー管理の重要性が高まっている。
【０００３】
ＢＥＭＳは、各種機能を備えた幾つかのシステムからなり、主に設備機器の状態の監視、運転管理、設備機器の自動制御などの日常的なビル管理を行う中央監視システムと、主にエネルギー管理を行うエネルギー監視システム等から構成されている。中央監視システムにおいて所要の演算処理を実施する装置（コンピュータ）は一般に中央監視装置と呼ばれており、これに対してエネルギー監視システムにおいて所要の演算処理を実施する装置を本明細書ではエネルギー監視装置と称するものとする。
【０００４】
エネルギー監視装置は、施設内における各種エネルギー消費機器でのエネルギー消費に関するデータの収集、蓄積、解析・評価等を行い、エネルギー消費を用途別、系統別、フロア別（場所別）、時間別等の計量区分に分別して表示することによって省エネルギーの対策に有用な情報を提示している。
【発明の開示】
【発明が解決しようとする課題】
【０００５】
ところで、従来のエネルギー監視装置では、用途別、フロア別等で分別した各計量区分におけるエネルギー消費に関する情報（エネルギー消費情報）を個別に表示する際に、その計量区分の選択を、モニタ画面上に並列的に表示された複数候補の計量区分の中から所望の計量区分をユーザが指定することによって行うようになっている。そのため、エネルギー消費情報をどのような計量区分で表示させることが可能であるかを把握することが難しく、また、所望の計量区分を選択することに手間を要するという問題があった。
【０００６】
本発明はこのような事情に鑑みてなされたもので、所定の計量区分でのエネルギー消費に関するエネルギー消費情報を表示する際の選択可能な計量区分の把握と選択とを容易にするエネルギー監視装置を提供することを目的とする。
【課題を解決するための手段】
【０００７】
前記目的を達成するために、請求項１に記載のエネルギー監視装置は、施設内でのエネルギー消費に関するエネルギー消費情報を表示手段に表示するエネルギー監視装置において、所定の計量区分でのエネルギー消費に関する前記エネルギー消費情報を表示する際に、該計量区分を選択するための選択画面であって、上位の階層の計量区分を下位の階層において所定の要素で分別することによって選択可能な計量区分を階層化し、該階層化した各計量区分を選択可能に階層表示した選択画面を前記表示手段に表示させる選択画面表示手段と、前記選択画面表示手段により表示された選択画面において所望の計量区分を選択する選択手段と、前記選択手段により選択された計量区分のエネルギー消費に関するエネルギー消費情報を前記表示手段に表示させるエネルギー消費情報表示手段と、を備えたことを特徴としている。
【０００８】
本発明によれば、エネルギー消費情報を表示する際のエネルギー消費の計量区分を階層表示によって選択できるようにしたため、選択可能な計量区分の全体構造の把握がユーザにとって容易であり、選択可能な計量区分の把握と所望の計量区分の選択とを容易に行うことができるようになる。
【０００９】
請求項２に記載のエネルギー監視装置は、施設内でのエネルギー消費に関するエネルギー消費情報を表示手段に表示するエネルギー監視装置において、所定の計量区分でのエネルギー消費に関する前記エネルギー消費情報を表示する際に、該計量区分を選択するための選択画面であって、前記施設の構成を模した模式図において所定の要素で分別した計量区分を選択可能に図形表示した選択画面を前記表示手段に表示させる選択画面表示手段と、前記選択画面表示手段により表示された選択画面において所望の計量区分を選択する選択手段と、前記選択手段により選択された計量区分のエネルギー消費に関するエネルギー消費情報を前記表示手段に表示させるエネルギー消費情報表示手段と、を備えたことを特徴としている。
【００１０】
本発明によれば、エネルギー消費情報を表示する際のエネルギー消費の計量区分を施設の構成を模した模式図によって選択できるようにしたため、実際の施設の構成に基づいて所望の計量区分を選択することができ、ユーザにとって選択可能な計量区分の把握と選択とが容易となる。
【００１１】
請求項３に記載のエネルギー監視装置は、請求項１、又は、２に記載の発明において、前記計量区分を分別する所定の要素は、エネルギー源の種類、消費したエネルギーの用途、エネルギーを消費する場所のうち少なくとも１つを含むことを特徴としている。本発明は、計量区分を分別する要素を具体的に示したものである。
【発明の効果】
【００１２】
本発明に係るエネルギー監視装置によれば、所定の計量区分でのエネルギー消費に関するエネルギー消費情報を表示する際の選択可能な計量区分の把握と選択とが容易となる。
【発明を実施するための最良の形態】
【００１３】
以下、添付図面に従って本発明を実施するための最良の形態について詳細に説明する。
【００１４】
図１は、本発明に係るエネルギー監視装置が用いられるビルエネルギーマネジメントシステム（ＢＥＭＳ：Building and Energy Management System）の概略構成図である。同図に示すＢＥＭＳは、業務用ビル等の施設に導入されるシステムであり、その施設内には、空調設備１０Ａ、電気・照明設備１０Ｂ、防災設備１０Ｃ等の各種建築設備が所要の場所に設置されている。尚、同図に示す設備以外にも防犯設備や調理設備等の電気、ガス、石油、水等の環境資源（エネルギー等）を消費するエネルギー消費機器を有する設備が設置され、それらもＢＥＭＳにより管理されるが、同図では省略している。
【００１５】
各設備１０Ａ、１０Ｂ、１０Ｃ、…、は、各々に対応した制御装置により運転制御され、空調設備１０Ａ、電気・照明設備１０Ｂ、及び、防災設備１０Ｃは、それぞれは空調制御装置１２Ａ、電気・照明制御装置１２Ｂ、及び、防災制御装置１２Ｃにより制御されるようになっている。
【００１６】
各設備１０Ａ、１０Ｂ、１０Ｃ、…には、運転制御、運転状況の監視、エネルギー消費の監視等に必要な各種メータ１４Ａ、１４Ｂ、…、センサ１６Ａ、１６Ｂ、１６Ｃ、…が設置されており、それらのメータやセンサから出力される信号（データ）は、各制御装置１２Ａ、１２Ｂ、１２Ｃ、…に取得され、各制御装置１２Ａ、１２Ｂ、１２Ｃ、…における対応設備の制御処理等に使用される。
【００１７】
また、各制御装置１２Ａ、１２Ｂ、１２Ｃ、…は、中央監視装置１８、及び、エネルギー監視装置２０と相互に通信可能なようにＬＡＮ等の通信ネットワークにより接続されており、上記メータやセンサから得られたデータは各制御装置１２Ａ、１２Ｂ、１２Ｃ、…を介して中央監視装置１８やエネルギー監視装置２０に送信されるようになっている。
【００１８】
中央監視装置１８は、例えば一般的なコンピュータの構成においてソフトウェアによるプログラムの実行によって中央監視装置としての機能を備えたものである。この中央監視装置１８では、主に日常的なビル管理に必要な処理が行われる。例えば、各制御装置１２Ａ、１２Ｂ、１２Ｃ、…を通じて各設備１０Ａ、１０Ｂ、１０Ｃ、…に設置された上記メータやセンサから出力されたデータを取得し、その取得したデータに基づいて、各設備１０Ａ、１０Ｂ、１０Ｃ、…における設備機器の状態の監視及び自動制御、運転管理等の処理を実行する。
【００１９】
エネルギー監視装置２０は、例えば一般的なコンピュータの構成においてソフトウェアによるプログラムの実行によってエネルギー監視装置としての機能を備えたものである。このエネルギー監視装置２０では、主にエネルギー管理に関する処理が行われる。例えば各制御装置１２Ａ、１２Ｂ、１２Ｃ、…を通じて各設備１０Ａ、１０Ｂ、１０Ｃ、…に設置された上記メータやセンサから出力されたデータを収集し、その収集したデータの蓄積、解析・評価等を行う。
【００２０】
図２は、上記エネルギー監視装置２０の構成を示したブロック図である。エネルギー監視装置２０は、例えばコンピュータ本体、モニタ、キーボード、マウス等によって構成される一般的なコンピュータにおいて特定のソフトウェアを実行させることによって実現されるもので、同図に示すように演算処理手段（ＣＰＵ）３０、データ収集手段（通信インターフェース）３２、データベース部（メモリ）３４、入力手段３６、表示手段３８等から構成されている。
【００２１】
データ収集手段３２は、通信ネットワークを介して図１における各制御装置１２Ａ、１２Ｂ、１２Ｃ、…と通信接続し、各設備１０Ａ、１０Ｂ、１０Ｃ、…に設置されたメータやセンサから出力された所要のデータの収集を逐次実行している。収集したデータは、演算処理手段３０を介してデータベース部３４に記憶され、データ収集手段３２により収集された過去から現在までのデータがデータベース部３４に蓄積されるようになっている。
【００２２】
入力手段３６は、キーボードやマウス等のようにキー入力や画面上の座標位置の指定等を行う装置を示し、表示手段３８は、液晶モニタやＣＲＴモニタ等のように文字や図形等を表示するモニタを示している。
【００２３】
演算処理手段３０は、所定のプログラムに従って、データベース部３４のデータの書込み／読出し、入力手段３６による入力操作の検出、表示手段３８に表示させる画面（画像）の作成、及び、各種演算処理を行う。
【００２４】
図３は、エネルギー監視装置２０の表示手段３８に表示されるエネルギー管理画面の一実施の形態を示した図である。同図に示すエネルギー管理画面は、計量区分を選択するための計量区分選択領域５０と、各種条件を設定するための条件設定領域５２と、エネルギー消費に関する情報（エネルギー消費情報）を表示するエネルギー消費情報表示領域５４とから構成されている。
【００２５】
計量区分選択領域５０は、エネルギー消費情報表示領域５４において所定の計量区分でのエネルギー消費に関するエネルギー消費情報を表示させる際に、その計量区分の選択を行う領域である。この計量区分選択領域５０には、選択可能な計量区分がツリー表示（階層表示）されており、エネルギー消費の計量区分を施設全体に対してエネルギーの種類別、用途別、フロア別に順に分別することによって計量区分が階層化され、その階層構造が視覚的に認識できるようにツリー表示されている。
【００２６】
最上位階層（第１階層）として「全体」と表示された項目ａ１を、例えば、マウスによりシングルクリックすると、その項目ａ１が選択され、施設全体のエネルギー消費が計量区分として選択される。一方、「全体」の項目ａ１を、例えばマウスによりダブルクリックすると、第１階層の１つ下の階層となる第２階層の項目が展開又は畳込み表示される。第２階層の項目を展開表示させると、同図に示すように「電気」という項目ｂ１と「都市ガス」という項目ｂ２が表示される。第２階層の項目は、第１階層の項目によって選択可能な施設全体という計量区分に対して、エネルギー（源）の種類によって計量区分を分別したものである。
【００２７】
尚、以下、各階層の項目の選択や各階層の項目の展開／畳込みはマウスによって上述と同様に行われるため、その操作の説明は省略する。また、キーボード等の他の入力装置によっても各階層の項目の選択や各階層の展開／畳込みの操作が可能である。また、各階層の項目とその１つ上の階層とを結ぶ枝の節点に＋と−の記号が表示され、展開可能な項目には＋記号が表示され、展開不能な項目には−記号が表示される。更に、選択されている項目は、文字とその背景の色が他の項目と異なるように表示される。
【００２８】
第２階層として「電気」と表示された項目ｂ１を選択した場合、施設全体のエネルギー消費のうち電気をエネルギー源とするエネルギー消費が計量区分として選択される。「都市ガス」と表示された項目ｂ２を選択した場合には、施設全体のエネルギー消費のうち都市ガスをエネルギー源とするエネルギー消費機器によるエネルギー消費が計量区分として選択される。
【００２９】
第２階層の「電気」と表示された項目ｂ１の１つ下の階層となる第３階層の項目を展開表示させた場合、同図に示すように「空調機」という項目ｃ１と、「換気ファン」という項目ｃ２と、「熱源」という項目ｃ３と、「その他の動力」という項目ｃ４と、「照明・コンセント」という項目ｃ５が表示される。尚、第２階層の「都市ガス」と表示された項目ｂ２も同様にその１つ下の階層となる第３階層の項目を展開表示させることができるが、説明を省略する。第３階層の項目は、第２階層の項目によって選択可能な計量区分に対して、エネルギー消費の用途によって計量区分を分別したものである。
【００３０】
例えば、第３階層として「空調機」と表示された項目ｃ１を選択した場合、電気をエネルギー源とするエネルギー消費のうち空調機（空調機のエネルギー消費機器）によるエネルギー消費が計量区分として選択される。尚、空調機は図１の空調設備１０Ａにおけるエネルギー消費機器である。項目ｃ２〜ｃ４については省略するが、第３階層として「照明・コンセント」と表示された項目ｃ５を選択した場合には、電気をエネルギー源とするエネルギー消費のうち照明機器及びコンセントによるエネルギー消費が計量区分として選択される。尚、照明機器やコンセントは図１の電気・照明設備１０Ｂにおけるエネルギー消費機器である。
【００３１】
更に、例えば第３階層の「照明・コンセント」と表示された項目ｃ５の１つ下の階層となる第４階層の項目を展開表示させた場合、同図に示すように「照明コンセントB1F」〜「照明コンセント7F」という項目ｄ１〜ｄ８と、「照明コンセントその他」という項目ｄ９が表示される。尚、第３階層の他の項目も同様にその１つ下の階層となる第４階層の項目を展開表示させることができるが、説明を省略する。第４階層の項目は、第３階層の項目によって選択可能な計量区分に対して、エネルギー消費の場所（フロア）によって計量区分を分別したものである。
【００３２】
例えば、第４階層として「照明コンセントB1F」と表示された項目ｄ１を選択した場合には、照明機器又はコンセントによるエネルギー消費のうち地下１階に配置された照明機器及びコンセントでのエネルギー消費が計量区分として選択される。
【００３３】
ユーザは、この計量区分選択領域５０において、マウス等の入力手段３６を用いて目的の計量区分となる項目を選択する。
【００３４】
尚、計量区分選択領域５０は、エネルギー消費情報表示領域５４の表示とは別に計量区分を選択する場合にのみ画面上に表示されるようにしてもよい。
【００３５】
条件設定領域５２は、計量区分選択領域５０により選択された計量区分でのエネルギー消費情報の表示に関して各種条件をユーザが指定する領域である。設定欄ｅ１では、エネルギー消費情報の表示におけるエネルギー消費量の大きさを表す単位として、「実使用量」、「ＣＯ２排出量」、「原単位」、「最大値／最小値」のいずれを用いるかを設定することができる。また、エネルギー使用量として電力量ではなく、一次エネルギーである熱量や原油使用料に換算した値での表示を選択することもできる。
【００３６】
設定欄ｅ２では、エネルギー消費情報のグラフ表示の方法を設定することができ、標準的な表示方法の他に昇順、降順、１００％積上等の表示方法を選択することができる。
【００３７】
設定欄ｅ３では、エネルギー消費情報としてグラフ表示する場合に、縦軸をエネルギー消費量、横軸を時間とすると、横軸の時間単位を年、月、日、時のいずれかに設定することができる。
【００３８】
設定欄ｅ４では、エネルギー消費情報の表示において横軸の時間範囲を設定することができる。設定欄ｅ５では、エネルギー消費情報の表示において、グラフ表示するか、帳票表示するか等の選択を行うことができると共に、印刷機器によってエネルギー消費情報を印刷することやファイルとして出力すること等もできるようになっている。
【００３９】
エネルギー消費情報表示領域５４は、上記のように設定された計量区分及び条件により算出されたエネルギー消費情報を表示する領域である。同図では、計量区分選択領域５０において第３階層の「照明・コンセント」の項目ｃ５が選択されると共に、条件設定領域５２における設定欄ｅ１で「実使用量」、設定欄ｅ２で「標準」、設定欄ｅ３で「時」、設定欄ｅ４で「２００５年２月１０日０時〜２００５年２月１０日２４時」、設定欄ｅ５で「グラフ表示」が選択されている場合のエネルギー消費情報の一例が示されている。これによれば、施設全体の照明機器及びコンセントによるエネルギー消費量が１時間単位で表示されると共に、第３階層の「照明・コンセント」の下位階層において分別されるフロア別のエネルギー消費量が色分け（図では模様で識別されている）されて表示されている。
【００４０】
図２における演算処理部３０は、データベース部３４に蓄積されたデータを読み出し、そのデータに基づいて、計量区分選択領域５０で選択された計量区分のエネルギー消費量を、条件設定領域５２において設定された条件に従って算出すると共に、表示手段３８のエネルギー管理画面におけるエネルギー消費情報表示領域５４に図３のようなエネルギー消費情報を表示させる。
【００４１】
図５は、上記エネルギー管理画面での操作手順の一例を示したフローチャートである。エネルギー監視装置２０においてエネルギー管理画面を表示させるためのソフトウェアを起動させると、表示手段３８にデフォルトの画面が表示される（ステップＳ１０）。デフォルトの画面では、例えば、図２のエネルギー管理画面において、計量区分選択領域５０で設定すべき計量区分が非選択の状態で、条件設定領域５２で設定すべき条件の全て又は一部が標準的な条件に設定された状態となっており、エネルギー消費情報表示領域５４でのエネルギー消費情報が未表示の状態となっている。尚、本ソフトウェアの前回終了時の画面や、デフォルトの計量区分、条件でエネルギー消費情報を表示させた画面をデフォルトの画面としてもよい。
【００４２】
デフォルトの画面が表示されると、オペレータは計量区分選択領域５０において所望の計量区分を選択する（ステップＳ１２）。そして、条件設定領域５２の設定欄ｅ１、ｅ２でグラフ内容・種別を選択し（ステップＳ１４）、設定欄ｅ３、ｅ４でグラフの横軸の時間単位と表示範囲を設定する（ステップＳ１６、Ｓ１８）。尚、これらのステップＳ１２〜ステップＳ１８の操作は、所望の順序で行うことができる。また、デフォルトの設定を維持する条件についての操作は不要である。続いて、設定欄ｅ５において「グラフ表示」という表示ボタンを選択すると（ステップＳ２０）、上記ステップＳ１２〜ステップＳ１８１６で設定した計量区分と条件でのエネルギー消費情報が図２のようにエネルギー消費情報表示領域５４に表示される（ステップＳ２２）。この後、本ソフトウェアを終了するか否かを判断し（ステップＳ２４）、終了する場合には所定の終了操作を行う。継続して他の計量区分や条件でエネルギー消費情報を表示させる場合には、ステップＳ１２からの操作を繰り返す。
【００４３】
以上、上記実施の形態では、計量区分選択領域５０においてツリー表示（階層表示）によって計量区分を表示するようにしたが、これに限らず、施設の構成を模式的に示した模式図を表示して所望の計量区分を選択できるようにしてもよい。例えば、本システムが設置されたビルの構成を模した模式図を図５のように表示する。同図によれば、ビル全体を示すブロックＡの内部が実際のビルと同数分のフロア（例えば、地下１階〜地上７階）を示すブロックＢ１〜Ｂ８に分割される。各ブロックＢ１〜Ｂ８の内部には実際のビルの各フロアに配置される設備を示すブロックが表示され、同図では空調機を示すブロックＣ１〜Ｃ８、換気ファンを示すブロックＤ１〜Ｄ８、照明・コンセントを示すブロックＥ１〜Ｅ８が示されている。
【００４４】
このような模式図において、計量区分の選択方法はいくつかの態様が考えられ、どのような方法を採用してもよい。例えば、順次ユーザが指定したブロックの論理和（ＯＲ）と論理積（ＡＮＤ）のいずれか又は組み合わせによって導かれたブロックおけるエネルギー消費を最終的な計量区分として選択されたものとする方法が考えられる。指定されたブロックの論理和を計量区分とする場合、例えば、ブロックＢ１をマウスのクリック等によって指定すると、ブロックＢ１に対応する地下１階全体のエネルギー消費が計量区分として選択される。尚、ブロックＢ１の指定は、ブロックＢ１の内側の領域であって内包するブロックＣ１〜Ｅ１の外側の領域をマウスでクリックすることによって行うことができ、これと同様に他のブロックを内包したブロックの指定はそのブロックの内側の領域であって、内包したブロックの外側の領域を指定することによって行うことができる。また、指定されたブロックの内部領域や枠線の色を指定されていないブロックと異なる色で表示するとよい。ブロックＢ１を指定した後、続いてブロックＢ２を指定すると、ブロックＢ１とブロックＢ２の各々に対応する地下１階全体と地上１階全体のエネルギー消費が計量区分として選択される。また、例えば最初にブロックＣ１を指定した場合には、地下１階の空調機によるエネルギー消費が計量区分として選択され、更に、ブロックＤ１を指定した場合にはブロックＣ１とブロックＤ１の各々に対応する地下１階の空調機と換気ファンのエネルギー消費が計量区分として選択される。
【００４５】
一方、指定されたブロックの論理積を計量区分とする場合、まず、フロアが異なるブロックであっても同種のブロックは同時に指定されたものとする。例えばブロックＣ１〜Ｃ８のいずれかが指定された場合、ブロックＣ１〜Ｃ８の全てが指定されたものとする。そして、まず、ブロックＣ１を指定すると、ブロックＣ１〜Ｃ８に対応する地下１階から地上８階までの空調機のエネルギー消費が計量区分として選択される。続いて、ブロックＢ３を指定すると、ブロックＢ３に対応する地上２階のフロア全体という条件と全階の空調機という条件の論理積により地上２階の空調機によるエネルギー消費が計量区分として選択される。
【００４６】
このように、施設の構成を模して、計量区分となり得る要素を図で表示し、選択可能にすることによって計量区分の把握や選択を容易にすることもできる。
【００４７】
また、上記実施の形態におけるエネルギー管理画面の計量区分選択領域５０では、施設全体を計量区分とした場合を第１階層として、エネルギー源の種類で分別した計量区分を第２階層、エネルギー消費の用途で分別した計量区分を第３階層、エネルギー消費の場所（フロア）で分別した計量区分を第４階層としたが、各階層において所定の計量区分に分別する要素（エネルギー源の種類、エネルギー消費の用途等）は、上位と下位とで自由に入れ替えることが可能であり、その設定もユーザが行えるようにしてもよい。例えば、施設全体を計量区分とした場合を第１階層としたときに、第２階層をフロアで分別した計量区分とし、第３階層を用途で分別した計量区分とし、第４階層をエネルギーの種類で分別した計量区分とすることもできる。また、計量区分を階層化する際に上位階層の計量区分を分別する要素は、いずれか１つの要素だけであってもよい。
【００４８】
更に、計量区分を分別する要素として上記実施の形態で示した要素以外にも考えられる。例えば、エネルギー消費の系統で上位階層を分別すること（エネルギーの供給路が共通するものを同一系統の計量区分とするような物理的な系統で分別すること）や、エネルギーを消費した時間（時刻）で上位階層を分別することも可能である。エネルギー消費の系統（物理的な系統）で分別する場合の例として、例えば、施設全体を第１階層とし、エネルギー源の違いにより分別した計量区分（電力系統、ガス系統等）を第２階層とし、第２階層の電気系統として分別された計量区分を更に各所に配置されたトランスで分別した計量区分を第３階層とし、第３階層の各トランスによって駆動される各モータ等で分別した計量区分を第４階層とすることが考えられる。
【００４９】
また、上記のように計量区分を階層化した場合の態様は様々のものが考えられ、複数の態様のものを事前に用意し又はユーザが作成し、どの態様で階層化した計量区分を計量区分選択領域５０に階層表示させるかをユーザの操作よって切り替えられるようにしてもよい。
【００５０】
また、上記実施の形態では計量区分の選択をツリー表示によって行えるようにしたが、階層表示であれば必ずしも図２のようなツリー表示と表示形態が異なっていてもよい。
【００５１】
また、上記実施の形態では、図２に示すように計量区分選択領域５０と条件設定領域５２とエネルギー消費情報表示領域５４が１つの画面内に配置されて表示されるようになっているが、必ずしもこれらの領域の全てを１つの画面内に表示させる必要はない。例えば、計量区分選択領域５０における表示と計量区分の選択は、エネルギー消費情報表示領域５４におけるエネルギー消費情報の表示とは別の画面で切り替えて行うようにしてもよい。
【００５２】
また、本発明に係るエネルギー監視装置は、主にビルのエネルギー管理に使用されるが、ビルに限らず、所望の施設におけるエネルギー管理に使用することができる。
【図面の簡単な説明】
【００５３】
【図１】本発明に係るエネルギー監視装置が使用されたビルエネルギーマネジメントシステムの構成図。
【図２】本発明に係るエネルギー監視装置の構成を示したブロック図。
【図３】本発明に係るエネルギー監視装置により表示されるエネルギー管理画面の構成を示した図。
【図４】エネルギー管理画面における操作手順の一例を示したフローチャート。
【図５】計量区分を模式図によって選択可能にした場合の計量区分選択画像を示した図。
【符号の説明】
【００５４】
１０Ａ…空調設備、１０Ｂ…電気・照明設備、１２Ａ…空調制御装置、１２Ｂ…電気・照明制御装置、１４Ａ、１４Ｂ…メータ、１６Ａ、１６Ｂ…センサ、１８…中央監視装置、２０…エネルギー監視装置、３０…演算処理手段、３２…データ収集手段、３４…データベース部、３６…入力手段、３８…表示手段、５０…計量区分選択領域、５２…条件設定領域、５４…エネルギー消費情報表示領域
【図１】
2007199783.tif 000003
【図２】
2007199783.tif 000004
【図３】
2007199783.tif 000005
【図４】
2007199783.tif 000006
【図５】
2007199783.tif 000007